(57)【要約】【課題】省エネ性に優れた除湿システムを提供する。【解決手段】所定の熱媒体が循環する循環回路（60）に接続されて空気通路（52）における空気冷却部（61,115）の上流側に配置される第１空気熱交換器（63）と、第１空気熱交換器（63）と直列に循環回路（60）に接続されて空気通路（52）における空気冷却部（61,115）の下流側に配置される第２空気熱交換器（64）とを備えている。【選択図】図２
2010243003.tif 000002
【特許請求の範囲】
【請求項１】
空気が流れる空気通路（52）を形成するケーシング（51）と、該空気通路（52）に設けられる空気冷却部（61,115）とを備え、該空気冷却部（61,115）で空気を冷却して除湿し、除湿した空気を室内へ供給する除湿システムであって、
所定の熱媒体が循環する循環回路（60,130）に接続されて上記空気通路（52）における上記空気冷却部（61,115）の上流側に配置される第１空気熱交換器（63）と、
上記第１空気熱交換器（63）と直列に上記循環回路（60,130）に接続されて上記空気通路（52）における上記空気冷却部（61,115）の下流側に配置される第２空気熱交換器（64）とを更に備えていることを特徴とする除湿システム。
【請求項２】
請求項１において、
上記空気通路（52）における上記第２空気熱交換器（64）の下流側に配置されて空気を加熱する空気加熱部（55）を更に備えていることを特徴とする除湿システム。
【請求項３】
請求項１又は２において、
上記第１空気熱交換器（63）は、上記空気通路（52）の下流側に位置して上記熱媒体が流入する流入部（73a）と、上記空気通路（52）の上流側に位置して熱媒体が流出する流出部（73b）と、該流入部（73a）と流出部（73b）との間に亘って形成される中間流路部（63c）とを有していることを特徴とする除湿システム。
【請求項４】
請求項１乃至３のいずれか１つにおいて、
上記第２空気熱交換器（64）は、上記空気通路（52）の下流側に位置して上記熱媒体が流入する流入部（74a）と、上記空気通路（52）の上流側に位置して熱媒体が流出する流出部（74b）と、該流入部（74a）と流出部（74b）との間に亘って形成される中間流路部（64c）とを有していることを特徴とする除湿システム。
【請求項５】
請求項１乃至４のいずれか１つにおいて、
上記空気冷却部（61,115）は、所定の熱媒体を冷却する熱媒体冷却部（25）を有して該熱媒体が循環する熱媒体回路（41）に接続された冷却熱交換器（61）で構成されていることを特徴とする除湿システム。
【請求項６】
請求項５において、
上記冷却熱交換器（61）は、上記空気通路（52）の下流側に位置して上記熱媒体が流入する流入部（71a）と、上記空気通路（52）の上流側に位置して熱媒体が流出する流出部（71b）と、該流入部（71a）と流出部（71b）との間に亘って形成される中間流路部（61c）とを有していることを特徴とする除湿システム。
【請求項７】
請求項１乃至６のいずれか１つにおいて、
上記循環回路（60,130）を循環する熱媒体を分流させると共に、分流させた熱媒体を循環回路（60,130）に合流させる分岐流路（66）と、
上記分岐流路（66）を流れる熱媒体を冷却する補助冷却部（95）と、
上記分岐流路（66）を流れる熱媒体の流量を調節する分流量調節機構（97）とを更に備えていることを特徴とする除湿システム。
【請求項８】
請求項１乃至７のいずれか１つにおいて、
上記第１空気熱交換器（63）を流れる熱媒体の流量と上記第２空気熱交換器（64）を流れる熱媒体の流量とを個別に調節するための流量調節機構（35〜37,65）を更に備えていることを特徴とする除湿システム。
【請求項９】
請求項１乃至８のいずれか１つにおいて、
上記室内の空気を室外へ排出するための排気流路（59）と、
上記循環回路（60,130）を流れる熱媒体と排気流路（59）を流れる空気とを熱交換させる顕熱熱交換器（68）とを更に備えていることを特徴とする除湿システム。
【請求項１０】
請求項１乃至９のいずれか１つにおいて、
上記空気通路（52）における上記第１空気熱交換器（63）の上流側の空気を上記空気冷却部（61,115）の下流側にバイパスさせるバイパス流路（140）と、
上記バイパス流路（140）を流れる空気の流量を調節するバイパス量調節機構（141）とを更に備えていることを特徴とする除湿システム。
【発明の詳細な説明】
【技術分野】
【０００１】
本発明は、空気を冷却して除湿し、除湿した空気を室内へ供給する除湿システムに関するものである。
【背景技術】
【０００２】
従来より、除湿した空気を室内へ供給する除湿システムが知られている。
【０００３】
例えば特許文献１には、この種の除湿システムが開示されている。この除湿システムには、ケーシング内の空気通路に空気冷却部としての冷却熱交換器が設けられている。冷却熱交換器は、水等の熱媒体が循環する熱媒体回路に接続されている。熱媒体回路には、熱媒体を循環させるためのポンプと、循環する熱媒体を冷却する熱媒体冷却部が設けられている。
【０００４】
この除湿システムの運転時には、ポンプが運転されて熱媒体回路内を水が循環する。この水は熱媒体冷却部で冷却されてから冷却熱交換器内を流れる。また、空気通路には、ファンが運転されることで空気が流れている。このため、冷却熱交換器では、水と空気とが熱交換して空気が露点温度以下まで冷却される。その結果、空気中の水分が凝縮し、これにより空気が除湿される。以上のようにして、冷却・除湿された空気は、室内へ供給される。
【先行技術文献】
【特許文献】
【０００５】
【特許文献１】特開２００６−１１２７８０号公報
【発明の概要】
【発明が解決しようとする課題】
【０００６】
上述したように、この種の除湿システムにおいては、空気を除湿するために空気を冷却熱交換器（空気冷却部）で露点温度以下まで冷却しなければならない。従って、空気冷却部での必要な冷却能力が比較的大きくなってしまい、省エネ性が損なわれてしまうという問題があった。
【０００７】
本発明は、かかる点に鑑みてなされたものであり、その目的は、省エネ性に優れた除湿システムを提供することである。
【課題を解決するための手段】
【０００８】
第１の発明は、空気が流れる空気通路（52）を形成するケーシング（51）と、該空気通路（52）に設けられる空気冷却部（61,115）とを備え、該空気冷却部（61,115）で空気を冷却して除湿し、除湿した空気を室内へ供給する除湿システムを対象とする。そして、この除湿システムは、所定の熱媒体が循環する循環回路（60,130）に接続されて上記空気通路（52）における上記空気冷却部（61,115）の上流側に配置される第１空気熱交換器（63）と、該第１空気熱交換器（63）と直列に上記循環回路（60,130）に接続されて上記空気通路（52）における上記空気冷却部（61,115）の下流側に配置される第２空気熱交換器（64）とを更に備えていることを特徴とする。
【０００９】
第１の発明では、ケーシング（51）内の空気通路（52）において、空気冷却部（61,115）の上流側に第１空気熱交換器（63）が設けられ、空気冷却部（61,115）の下流側に第２空気熱交換器（64）が設けられる。第１空気熱交換器（63）と第２空気熱交換器（64）とは循環回路（60,130）に接続されており、この循環回路（60,130）では所定の熱媒体が循環している。空気通路（52）を流れる空気は、まず、第１空気熱交換器（63）を通過する。第１空気熱交換器（63）では、空気と熱媒体とが熱交換する。その結果、第１空気熱交換器（63）では、空気を熱媒体によって冷却できる。第１空気熱交換器（63）で冷却された空気は、空気冷却部（61,115）で露点温度以下まで冷却されて除湿される。空気冷却部（61,115）で除湿された空気は、第２空気熱交換器（64）を流れる。
【００１０】
第２空気熱交換器（64）には、上述した第１空気熱交換器（63）で空気から吸熱した後の比較的高温の熱媒体が流れている。このため、第２空気熱交換器（64）では、空気と熱媒体とが熱交換することで、空気が熱媒体によって加熱される。その結果、空気の温度が高くなることで、この空気の相対湿度が低下する。一方、第２空気熱交換器（64）で空気に放熱した熱媒体は、第１空気熱交換器（63）に再び送られて空気の冷却に利用される。以上のようにして除湿された空気は、空気通路（52）を流出して室内に供給される。
【００１１】
第２の発明は、第１の発明において、上記空気通路（52）における上記第２空気熱交換器（64）の下流側に配置されて空気を加熱する空気加熱部（55）を更に備えていることを特徴とする。
【００１２】
第２の発明では、第２空気熱交換器（64）の下流側に空気加熱部（55）が設けられる。このため、第２空気熱交換器（64）を通過した後の空気を空気加熱部（55）によって加熱することができる。これにより、空気加熱部（55）を通過後の空気の相対湿度を更に低下させることができる。ここで、空気加熱部（55）を流入する前の空気は、上述のようにして、第２空気熱交換器（64）によって既に加熱されているため、空気加熱部（55）で空気を加熱するために必要な加熱能力を低減できる。
【００１３】
第３の発明は、第１又は第２の発明において、上記第１空気熱交換器（63）は、上記空気通路（52）の下流側に位置して上記熱媒体が流入する流入部（73a）と、上記空気通路（52）の上流側に位置して熱媒体が流出する流出部（73b）と、該流入部（73a）と流出部（73b）との間に亘って形成される中間流路部（63c）とを有していることを特徴とする。
【００１４】
第３の発明の第１空気熱交換器（63）には、熱媒体の流入部（73a）が空気通路（52）の下流側に設けられ、熱媒体の流出部（73b）が空気通路（52）の上流側に設けられ、流入部（73a）と流出部（73b）との間に熱媒体が流れる中間流路部（63c）が設けられる。これにより、第１空気熱交換器（63）において、空気と熱媒体とを実質的に対向させるように流して熱交換させることができる。即ち、本発明では、第１空気熱交換器（63）をいわゆる対向流式の熱交換器として機能させることができる。このようにすると、第１空気熱交換器（63）を流出した空気の温度が流入部（73a）を流れる熱媒体の温度に近づくので、例えば並行流式と比較して、第１空気熱交換器（63）での冷却効果を向上させることができる。
【００１５】
一方、第１空気熱交換器（63）の流出部（73b）を流れる熱媒体の温度は第１空気熱交換器（63）を流入した空気の温度に近づくので、例えば並行流式と比較して、第１空気熱交換器（63）から第２空気熱交換器（64）へ送られる熱媒体の温度を高くできる。これにより、第２空気熱交換器（64）では、空気と熱媒体との温度差が大きくなるため、第２空気熱交換器（64）における空気の加熱能力が向上する。その結果、第２空気熱交換器（64）では、空気の相対湿度を更に低下できる。
【００１６】
第４の発明は、第１乃至第３のいずれか１つの発明において、上記第２空気熱交換器（64）は、上記空気通路（52）の下流側に位置して上記熱媒体が流入する流入部（74a）と、上記空気通路（52）の上流側に位置して熱媒体が流出する流出部（74b）と、該流入部（74a）と流出部（74b）との間に亘って形成される中間流路部（64c）とを有していることを特徴とする。
【００１７】
第４の発明の第２空気熱交換器（64）には、熱媒体の流入部（74a）が空気通路（52）の下流側に設けられ、熱媒体の流出部（74b）が空気通路（52）の上流側に設けられ、流入部（74a）と流出部（74b）との間に熱媒体が流れる中間流路部（64c）が設けられる。これにより、第２空気熱交換器（64）において、空気と熱媒体とを実質的に対向させるように流して熱交換させることができる。即ち、本発明では、第２空気熱交換器（64）をいわゆる対向流式の熱交換器として機能させることができる。このようにすると、第２空気熱交換器（64）を流出した空気の温度が流入部（74a）を流れる熱媒体の温度に近づくので、例えば並行流式と比較して、第１空気熱交換器（63）での加熱能力を向上させることができる。その結果、第２空気熱交換器（64）では、空気の相対湿度を更に低下できる。
【００１８】
一方、第２空気熱交換器（64）の流出部（74b）を流れる熱媒体の温度は第２空気熱交換器（64）を流入した空気の温度に近づくので、例えば並行流式と比較して、第２空気熱交換器（64）での熱媒体の冷却効果を向上させることができる。従って、第２空気熱交換器（64）から第１空気熱交換器（63）へ送られる熱媒体の温度を更に低い温度とすることができ、第１空気熱交換器（63）における冷却効果も更に向上させることができる。
【００１９】
第５の発明は、第１乃至第４のいずれか１つの発明において、上記空気冷却部（61,115）は、所定の熱媒体を冷却する熱媒体冷却部（25）を有して該熱媒体が循環する熱媒体回路（41）に接続された冷却熱交換器（61）で構成されていることを特徴とする。
【００２０】
第５の発明の空気冷却部（61,115）は、所定の熱媒体が循環する熱媒体回路（41）に接続された冷却熱交換器（61）で構成される。熱媒体回路（41）では、熱媒体冷却部（25）で冷却された熱媒体が冷却熱交換器（61）を流れる。これにより、冷却熱交換器（61）では、空気通路（52）を流れる空気と熱媒体とが熱交換し、空気が露点温度以下まで冷却されて除湿される。本発明では、上述したようにして、第１空気熱交換器（63）で空気が予め冷却されているため、冷却熱交換器（61）での必要な冷却能力を軽減できる。
【００２１】
第６の発明は、第５の発明において、上記冷却熱交換器（61）は、上記空気通路（52）の下流側に位置して上記熱媒体が流入する流入部（71a）と、上記空気通路（52）の上流側に位置して熱媒体が流出する流出部（71b）と、該流入部（71a）と流出部（71b）との間に亘って形成される中間流路部（61c）とを有していることを特徴とする。
【００２２】
第６の発明では、冷却熱交換器（61）がいわゆる対向流式の熱交換器として機能する。従って、冷却熱交換器（61）における空気の冷却効果が向上し、ひいては除湿能力も向上する。
【００２３】
第７の発明は、第１乃至第６のいずれか１つの発明において、上記循環回路（60,130）を循環する熱媒体を分流させると共に、分流させた熱媒体を循環回路（60,130）に合流させる分岐流路（66）と、分岐流路（66）を流れる熱媒体を冷却する補助冷却部（95）と、分岐流路（66）を流れる熱媒体の流量を調節する分流量調節機構（97）とを更に備えていることを特徴とする。
【００２４】
第７の発明では、分流量調節機構（97）によって分岐流路（66）を流れる熱媒体の流量を調節することで、第１空気熱交換器（63）での空気の冷却能力を変更できる。具体的には、例えば分流量調節機構（97）によって分岐流路（66）を流れる熱媒体の流量を多くすると、補助冷却部（95）によって冷却される熱媒体の量が多くなる。その結果、循環回路（60,130）へ戻される熱媒体の温度が低くなるため、第１空気熱交換器（63）の冷却能力が大きくなる。
【００２５】
一方、例えば分流量調節機構（97）によって分岐流路（66）を流れる熱媒体の流量を少なくすると、補助冷却部（95）によって冷却される熱媒体の量も少なくなる。その結果、循環回路（60,130）へ戻される熱媒体の温度が高くなるため、第１空気熱交換器（63）の冷却能力が小さくなる。
【００２６】
第８の発明は、第１乃至第７のいずれか１つの発明において、上記第１空気熱交換器（63）を流れる熱媒体の流量と上記第２空気熱交換器（64）を流れる熱媒体の流量とを個別に調節するための流量調節機構（35〜37,65）を更に備えていることを特徴とする。
【００２７】
第８の発明では、流量調節機構（35〜37,65）によって第１空気熱交換器（63）と第２空気熱交換器（64）とを流れる熱媒体の各流量がそれぞれ調節可能となっている。これにより、例えば第１空気熱交換器（63）の熱媒体の流量を変更することで、第１空気熱交換器（63）による空気の冷却／除湿能力を変更することができる。また、第２空気熱交換器（64）の熱媒体の流量を変更することで、第２空気熱交換器（64）による空気の加熱能力を変更することができる。
【００２８】
第９の発明は、第１乃至第８のいずれか１つの発明において、室内の空気を室外へ排出するための排気流路（59）と、上記循環回路（60,130）を流れる熱媒体と排気流路（59）を流れる空気とを熱交換させる顕熱熱交換器（68）とを更に備えていることを特徴とする。
【００２９】
第９の発明では、室内の空気が排気流路（59）を通じて室外へ排出される。この際、排気流路（59）に設けられた顕熱熱交換器（68）では、第１空気熱交換器（63）で空気の冷却に利用された後の熱媒体と室内空気とが熱交換する。これにより、例えば排気流路（59）を流れる室内空気の温度が比較的低い条件下においては、室内空気の冷熱を熱媒体に付与することができる。これにより、第１空気熱交換器（63）での空気の冷却効果を向上できる。
【００３０】
また、例えば排気流路（59）を流れる室内空気の温度が比較的高い条件下においては、室内空気の熱を熱媒体に付与することができる。これにより、第２空気熱交換器（64）での空気の加熱能力を向上できる。
【００３１】
第１０の発明は、第１乃至第９のいずれか１つの発明において、上記空気通路（52）における上記第１空気熱交換器（63）の上流側の空気を上記空気冷却部（61,115）の下流側にバイパスさせるバイパス流路（140）と、該バイパス流路（140）を流れる空気の流量を調節するバイパス量調節機構（141）とを更に備えていることを特徴とする。
【００３２】
第１０の発明では、空気通路（52）にバイパス流路（140）が設けられ、このバイパス流路（140）を流れる空気の流量がバイパス量調節機構（141）によって調節可能となっている。例えばバイパス流路（140）を流れる空気の流量を増大させると、第１空気熱交換器（63）や空気冷却部（61,115）で冷却／除湿される空気の流量が少なくなる。従って、除湿システムで処理される潜熱の量が少なくなる。また、例えばバイパス流路（140）を流れる空気の流量を減少させると、第１空気熱交換器（63）や空気冷却部（61,115）で冷却／除湿される空気の流量が多くなる。以上のように、本発明では、バイパス流路（140）を流れる空気の流量を変更させることで、潜熱負荷に応じた運転が可能となる。
【発明の効果】
【００３３】
本発明では、第１空気熱交換器（63）を流れる熱媒体で空気を予め冷却した後、この空気を空気冷却部（61,115）で冷却／除湿するようにしている。これにより、空気冷却部（61,115）での必要な冷却能力を軽減できる。また、第２空気熱交換器（64）では、第１空気熱交換器（63）で回収した空気の熱を利用して、空気冷却部（61,115）で冷却された後の空気を加熱するようにしている。これにより、空気の相対湿度を低減して除湿能力を高めることができ、且つこの空気から回収した冷熱を再び第１空気熱交換器（63）での空気の冷却に利用できる。以上のようにして、本発明では、除湿システムの省エネ性の向上を図りながら、除湿能力を高めることができる。
【００３４】
また、第２の発明では、第２空気熱交換器（64）で空気を加熱できるため、空気加熱部（55）で空気を加熱するのに必要な加熱能力を軽減できる。これにより、除湿システムの省エネ性を更に向上できる。
【００３５】
第３の発明では、第１空気熱交換器（63）で空気と熱媒体とを対向させながら熱交換させている。このため、第１空気熱交換器（63）で空気を一層低い温度にまで冷却でき、且つ熱媒体を一層高い温度にまで加熱することができる。従って、空気冷却部（61,115）での必要な冷却能力や、空気加熱部（55）での必要な加熱能力を一層軽減できるため、除湿システムの省エネ性を更に向上できる。
【００３６】
第４の発明では、第２空気熱交換器（64）で空気と熱媒体とを対向させながら熱交換させている。このため、第２空気熱交換器（64）での空気の加熱能力が更に向上し、且つ第２空気熱交換器（64）で空気から回収される冷熱量も多くなる。これにより、第１空気熱交換器（63）での空気の冷却効果も更に向上する。
【００３７】
第５の発明では、空気冷却部（61,115）としての冷却熱交換器（61）によって空気を冷却することができる。本発明では、第１空気熱交換器（63）によって予め空気を冷却しているため、冷却熱交換器（61）で空気を冷却するのに必要な冷却を軽減できる。これにより、循環回路（60,130）を流れる熱媒体の循環量を少なくしたり、熱媒体冷却部（25）の冷却負荷を低減できる。特に第６の発明では、冷却熱交換器（61）で空気と熱媒体とを対向させながら熱交換させているため、冷却熱交換器（61）での空気の冷却効果が更に向上する。
【００３８】
第７の発明は、分岐流路（66）へ送られる熱媒体の流量を調節することで、第１空気熱交換器（63）の冷却能力を適宜調整できる。従って、処理する空気の湿度や温度に応じた運転を行うことができる。また、補助冷却部（95）によって熱媒体の温度を低温とすることで、第２空気熱交換器（64）においても空気を冷却／除湿することができる。
【００３９】
第８の発明では、第１空気熱交換器（63）と第２空気熱交換器（64）とを流れる熱媒体の流量をそれぞれ調整できるため、第１空気熱交換器（63）での空気の冷却能力や第２空気熱交換器（64）での空気の加熱能力を個別に変更できる。従って、運転条件に応じた最適な運転を行うことができる。
【００４０】
第９の発明では、室内から排出される空気と熱媒体回路（41）を流れる熱媒体とを顕熱熱交換器（68）によって熱交換させている。このため、室内が冷房されている場合には、熱媒体回路（41）を流れる熱媒体に空気の冷熱を付与することで、第１空気熱交換器（63）の冷却能力を向上できる。また、例えば室内が暖房されている場合には、熱媒体回路（41）を流れる熱媒体に空気の熱を付与することで、第２空気熱交換器（64）の加熱能力を向上できる。
【００４１】
第１０の発明では、バイパス流路（140）を流れる空気の流量を調節することで、第１空気熱交換器（63）や空気冷却部（61,115）を通過する空気の流量を調節できる。従って、除湿システムによる空気の除湿能力や冷却能力を個別に調節できるので、運転条件や運転ニーズに併せた最適な冷却／除湿運転を行うことができる。
【図面の簡単な説明】
【００４２】
【図１】図１は、実施形態１に係る除湿システムの全体を示す概略構成図である。
【図２】図２は、空調ユニット内の熱交換器の概略構成図である。
【図３】図３は、空調ユニット内の熱交換器の概略構成図であり、熱媒体の流れを模式的に表したものである。
【図４】図４は、変形例１に係る除湿システムの全体を示す概略構成図である。
【図５】図５は、変形例１に係る空調ユニット内の熱交換器の概略構成図であり、三方弁を第１状態とした場合の熱媒体の流れを模式的に表したものである。
【図６】図６は、変形例１に係る空調ユニット内の熱交換器の概略構成図であり、三方弁を第２状態とした場合の熱媒体の流れを模式的に表したものである。
【図７】図７は、変形例２に係る除湿システムの全体を示す概略構成図である。
【図８】図８は、変形例３に係る除湿システムの全体を示す概略構成図である。
【図９】図９は、変形例４に係る除湿システムの全体を示す概略構成図である。
【図１０】図１０は、変形例５に係る除湿システムの全体を示す概略構成図である。
【図１１】図１１は、変形例６に係る除湿システムの全体を示す概略構成図である。
【図１２】図１２は、変形例７に係る除湿システムの全体を示す概略構成図である。
【図１３】図１３は、変形例８に係る除湿システムの空調ユニットの全体を示す概略構成図である。
【図１４】図１４は、変形例８に係る除湿システムの他の例の空調ユニットの全体を示す概略構成図である。
【発明を実施するための形態】
【００４３】
以下、本発明の実施形態を図面に基づいて詳細に説明する。
【００４４】
《実施形態１》
実施形態１に係る除湿システムは、室内の湿度と温度とを調節するものであり、例えば
半導体の製造工場等に適用される空調システム（10）を構成している。図１に示すように、実施形態１に係る空調システム（10）は、室外空気（OA）を取り込み、湿度や温度を調節した後の空気を供給空気（SA）として室内へ送るように構成されている。空調システム（10）は、チラーユニット（20）と空調ユニット（50）とを有している。また、空調システム（10）は、冷媒回路（21）と放熱回路（31）と熱媒体回路（41）とを有している。
【００４５】
〈冷媒回路の構成〉
冷媒回路（21）は、チラーユニット（20）に含まれている。冷媒回路（21）は、冷媒が充填された閉回路を構成している。冷媒回路（21）には、圧縮機（22）と放熱器（23）と膨張弁（24）と蒸発器（25）とが接続されている。冷媒回路（21）では、冷媒が循環することで蒸気圧縮式の冷凍サイクルが行われる。
【００４６】
放熱器（23）は、冷媒回路（11）と接続する第１伝熱管（23a）と、放熱回路（31）と接続する第２伝熱管（23b）とを有している。つまり、冷媒回路（21）は、放熱器（23）を介して放熱回路（31）に接続している。放熱器（23）では、第１伝熱管（23a）を流れる冷媒と第２伝熱管（23b）を流れる熱媒体とが熱交換する。蒸発器（25）は、冷媒回路（11）と接続する第１伝熱管（25a）と、熱媒体回路（41）と接続する第２伝熱管（25b）とを有している。つまり、冷媒回路（11）は、蒸発器（25）を介して熱媒体回路（41）と接続している。蒸発器（25）では、第１伝熱管（25a）を流れる冷媒と第２伝熱管（25b）を流れる熱媒体が熱交換する。
【００４７】
〈放熱回路の構成〉
放熱回路（31）は、熱媒体としての水が充填された閉回路を構成している。放熱回路（31）には、上述した放熱器（23）と水ポンプ（32）とクーリングタワー（33）とが接続している。水ポンプ（32）は、放熱回路（31）内の水を搬送して循環させる。クーリングタワー（33）は、放熱回路（31）を循環する水を冷却するための冷却手段を構成している。なお、図面上において、水ポンプ（32）に付した矢印は、放熱回路（31）を流れる水の循環方向を意味している。
【００４８】
〈循環回路の構成〉
熱媒体回路（41）は、熱媒体としての水が充填された閉回路を構成している。熱媒体回路（41）には、上述した蒸発器（25）とチラー側ポンプ（42）と冷却熱交換器（61）とが接続されている。蒸発器（25）は、熱媒体回路（41）を循環する熱媒体を冷却する熱媒体冷却部を構成している。チラー側ポンプ（42）は、熱媒体回路（41）内の水を搬送して循環させる熱媒体搬送機構を構成している。冷却熱交換器（61）の詳細は後述する。なお、図面上において、チラー側ポンプ（42）に付した矢印は、熱媒体回路（41）を流れる水の循環方向を意味している。
【００４９】
また、熱媒体回路（41）には、水バイパス管（43）が接続されている。水バイパス管（43）の一端はチラー側ポンプ（42）と冷却熱交換器（61）との間に接続している。水バイパス管（43）の他端は冷却熱交換器（61）と蒸発器（25）との間に接続している。水バイパス管（43）には、バイパス電動弁（44）が設けられている。バイパス電動弁（44）は、水バイパス管（43）の開度を調節可能な流量調節弁を構成している。
【００５０】
〈空調ユニットの構成〉
空調ユニット（50）は、上下に扁平な直方体形状のケーシング（51）を有している。ケーシング（51）の内部には、空気が流通する空気通路（52）が形成されている。空気通路（52）の流入端には、吸込ダクト（53）の一端が接続している。吸込ダクト（53）の他端は室外に臨んでいる。空気通路（52）の流出端には、給気ダクト（54）の一端が接続している。給気ダクト（54）の他端は室内空間（5）に臨んでいる。
【００５１】
空気通路（52）には、上流側から下流側に向かって順に、第１空気熱交換器（63）、上記冷却熱交換器（61）、第２空気熱交換器（64）、電気ヒータ（55）、散水器（56）、及び送風機（57）が設けられている。電気ヒータ（55）は、第２空気熱交換器（64）の下流側に設けられて空気を加熱する空気加熱部を構成している。散水器（56）は、タンク（図示省略）内の水をノズルから空気中へ散布する加湿部を構成している。送風機（57）は、空気通路（52）内の空気を搬送する空気搬送機構を構成している。
【００５２】
上述した冷却熱交換器（61）は、空気を露点温度以下まで冷却するための空気冷却部を構成している。図２及び図３に示すように、冷却熱交換器（61）は、複数のフィン（61a）と、複数のフィン（61a）を貫通する伝熱管（61b）とを有し、いわゆるフィンアンドチューブ式の熱交換器を構成している。冷却熱交換器（61）では、空気の流れ方向に５列のフィン群が配列されている。
【００５３】
冷却熱交換器（61）は、空気通路（52）の下流側に位置して水が流入する流入部（71a）と、空気通路（52）の上流側に位置して水が流出する流出部（71b）とを有している。そして、冷却熱交換器（61）には、流入部（71a）に第１流入管（71）が接続し、流出部（71b）に第１流出管（72）が接続している。第１流入管（71）には、該第１流入管（71）の開度を調節可能な開閉弁（81）が設けられている。
【００５４】
冷却熱交換器（61）において、流入部（71a）及び流出部（71b）は、分流器によってそれぞれ複数に分岐している。そして、流入部（71a）の各分岐部が冷却熱交換器（61）内の複数のパス群（61c,61c,…）の流入側と接続し、流出部（71b）の分岐部が冷却熱交換器（61）内の複数のパス群（61c,61c,…）の流出側と接続している。これらのパス群（61c,61c,…）は、互いに並列となるように上下に配列され、流入部（71a）と流出部（71b）との間に跨って延びている。そして、これらのパス群（61c,61c,…）が、流入部（71a）と流出部（71b）との間に亘って形成される中間流路部を構成している。
【００５５】
空調システム（10）は、熱媒体としての水が循環する循環回路（60）を有している。そして、この循環回路（60）には、上述した第１空気熱交換器（63）と第２空気熱交換器（64）とが直列に接続されている。
【００５６】
第１空気熱交換器（63）は、空気通路（52）において冷却熱交換器（61）の上流側に設けられている。第１空気熱交換器（63）は、複数のフィン（63a）と、複数のフィン（63a）を貫通する伝熱管（63b）とを有し、いわゆるフィンアンドチューブ式の熱交換器を構成している。第１空気熱交換器（63）では、空気の流れ方向に２列のフィン群が配列されている。つまり、第１空気熱交換器（63）のフィン群の列数は、冷却熱交換器（61）のフィン群の列数よりも少なくなっている。
【００５７】
第１空気熱交換器（63）は、空気通路（52）の下流側に位置して水が流入する流入部（73a）と、空気通路（52）の上流側に位置して水が流出する流出部（73b）とを有している。そして、第１空気熱交換器（63）には、流出部（73b）に第１中継管（73）の一端が接続し、流入部（73a）に第２中継管（74）の一端が接続している。
【００５８】
第１空気熱交換器（63）において、流入部（73a）及び流出部（73b）は、分流器によってそれぞれ複数に分岐している。そして、流入部（73a）の各分岐部が第１空気熱交換器（63）内の複数のパス群（63c,63c,…）の流入側と接続し、流出部（73b）の各分岐部が第１空気熱交換器（63）内の複数のパス群（63c,63c,…）の流出側と接続している。これらのパス群（63c,63c,…）は、互いに並列となるように上下に配列され、流入部（73a）と流出部（73b）との間に跨って延びている。そして、これらのパス群（63c,63c,…）が、流入部（73a）と流出部（73b）との間に亘って形成される中間流路部を構成している。
【００５９】
第２空気熱交換器（64）は、空気通路（52）において冷却熱交換器（61）の下流側に設けられている。第２空気熱交換器（64）は、複数のフィン（64a）と、複数のフィン（64a）を貫通する伝熱管（64b）とを有し、いわゆるフィンアンドチューブ式の熱交換器を構成している。第２空気熱交換器（64）では、空気の流れ方向に３列のフィン群が配列されている。つまり、第２空気熱交換器（64）のフィン群の列数は、冷却熱交換器（61）のフィン群の列数よりも少なく、第１空気熱交換器（63）のフィン群の列数よりも多くなっている。
【００６０】
第２空気熱交換器（64）は、空気通路（52）の下流側に位置して水が流入する流入部（74a）と、空気通路（52）の上流側に位置して水が流出する流出部（74b）とを有している。そして、第２空気熱交換器（64）には、流入部（74a）に第１中継管（73）の他端が接続し、流出部（74b）に第２中継管（74）の他端が接続している。
【００６１】
第２空気熱交換器（64）において、流入部（74a）及び流出部（74b）は、分流器によってそれぞれ複数に分岐している。そして、流入部（74a）の各分岐部が第２空気熱交換器（64）内の複数のパス群（64c,64c,…）の流入側と接続し、流出部（73b）の各分岐部が第２空気熱交換器（64）内の複数のパス群（64c,64c,…）の流出側と接続している。これらのパス群（64c,64c,…）は、互いに並列となるように上下に配列され、流入部（74a）と流出部（74b）との間に跨って延びている。そして、これらのパス群（64c,64c,…）が、流入部（74a）と流出部（74b）との間に亘って形成される中間流路部を構成している。
【００６２】
以上のように、第１空気熱交換器（63）と第１中継管（73）と第２空気熱交換器（64）と第２中継管（74）とが順に接続されることで、閉回路となる上記循環回路（60）が構成されている。また、第１中継管（73）には、循環回路（60）内の水を搬送するための循環ポンプ（65）が設けられている。
【００６３】
〈コントローラの構成〉
空調システム（10）は、制御部としてのコントローラ（100）を備えている。コントローラ（100）には、空調システム（10）の運転状況に関する信号が入力される。そして、コントローラ（100）は、この種の入力信号に応じて、チラーユニット（20）の冷却能力、水ポンプ（32）、チラー側ポンプ（42）、及び循環ポンプ（65）の循環水量、電気ヒータ（55）の加熱能力、散水器（56）の散水量、バイパス電動弁（44）や開閉弁（81）の開度等を制御するように構成されている。
【００６４】
−運転動作−
次に空調システム（10）の運転動作について図１〜図３を参照しながら説明する。空調システム（10）は、室内を除湿する除湿運転を実行可能に構成されている。
【００６５】
除湿運転では、チラーユニット（20）の圧縮機（22）、水ポンプ（32）、チラー側ポンプ（42）、循環ポンプ（65）、及び送風機（57）が駆動される。また、除湿運転では、基本的には、電気ヒータ（55）が通電状態となり散水器（56）の散水は停止状態となる。更に、コントローラ（100）によって開閉弁（81）が開放される。
【００６６】
冷媒回路（21）では、冷凍サイクルが行われる。具体的には、圧縮機（22）で圧縮された冷媒は、放熱器（23）を流れる。放熱器（23）では、第１伝熱管（23a）を流れる冷媒が、第２伝熱管（23b）を流れる水に放熱して凝縮する。放熱器（23）の第２伝熱管（23b）で加熱された水は、クーリングタワー（33）において室外空気へ放熱する。放熱器（23）で凝縮した冷媒は、減圧機構としての膨張弁（24）で減圧された後、蒸発器（25）を流れる。蒸発器（25）では、第１伝熱管（25a）を流れる冷媒が、第２伝熱管（25b）を流れる水から吸熱して蒸発する。蒸発器（25）で蒸発した冷媒は、圧縮機（22）に吸入されて圧縮される。
【００６７】
蒸発器（25）の第２伝熱管（25b）で冷却された水は、チラー側ポンプ（42）を通過し、空調ユニット（50）のケーシング（51）内へ搬送される。この水は、第１流入管（71）を流れて冷却熱交換器（61）に流入する。この水は、複数のパス群（61c,61c,…）に分流し、各パス群（61c,61c,…）を空気流れの上流側へ向かって流れる。冷却熱交換器（61）の各パス群（61c,61c,…）を通過した水は、第１流出管（72）に流出して蒸発器（25）へ送られる。
【００６８】
一方、循環回路（60）では、循環ポンプ（65）によって搬送された水が、第１中継管（73）を流れて第２空気熱交換器（64）に流入する。この水は、複数のパス群（64c,64c,…）に分流し、各パス群（64c,64c,…）を空気流れの上流側へ向かって流れる。第２空気熱交換器（64）の各パス群（64c,64c,…）を通過した水は、第２中継管（74）へ送られ、第１空気熱交換器（63）に流入する。この水は、複数のパス群（63c,63c,…）に分流し、各パス群（63c,63c,…）を空気流れの上流側へ向かって流れる。第１空気熱交換器（63）の各パス群（63c,63c,…）を通過した水は、第１中継管（73）へ送られる。
【００６９】
空調ユニット（50）では、室外から吸込ダクト（53）に取り込まれた室外空気（OA）が、ケーシング（51）内の空気通路（52）を流れる。この空気は、まず第１空気熱交換器（63）を通過する。第１空気熱交換器（63）では、水と空気とが実質的に対向するように流れて熱交換する。具体的には、第１空気熱交換器（63）では、例えば約３０℃の空気と約１７℃の水とが熱交換し、３０℃の空気が約２５℃にまで冷却される。また、第１空気熱交換器（63）を流出する水は、例えば約２０°にまで加熱される。
【００７０】
第１空気熱交換器（63）で冷却された空気は、冷却熱交換器（61）を通過する。冷却熱交換器（61）では、水と空気とが実質的に対向するように流れて熱交換する。その結果、空気が露点温度以下（例えば約１０℃）まで冷やされて除湿される。
【００７１】
第１空気熱交換器（63）で冷却／除湿された空気は、第２空気熱交換器（64）を流れる。第２空気熱交換器（64）では、冷媒と空気とが実質的に対向するように流れて熱交換する。具体的には、第２空気熱交換器（64）では、例えば約１０℃の空気と約２０℃の水とが熱交換し、約１０℃の空気が約１３℃まで加熱される。また、第２空気熱交換器（64）を流出する水は、例えば約１７℃まで冷却される。
【００７２】
第２空気熱交換器（64）で加熱された空気は、電気ヒータ（55）によって更に加熱される。なお、第２空気熱交換器（64）で加熱された空気の温度が、既に室内の目標温度を越えている場合には、電気ヒータ（55）の通電を停止する制御を行っても良い。
【００７３】
以上のようにして除湿された空気は、給気ダクト（54）を経由して、供給空気（SA）として室内空間（5）へ供給される。
【００７４】
−実施形態１の効果−
上記実施形態では、冷却熱交換器（61）で冷却／除湿する前の空気を、第１空気熱交換器（63）によって予め冷却している。これにより、冷却熱交換器（61）での必要な冷却能力を軽減できるため、例えば熱媒体回路（41）を流れる水の循環量を少なくしたり、蒸発器（25）の冷却能力（即ち、圧縮機の動力）を低くすることができる。その結果、空調システム（10）の省エネ性の向上を図ることができる。
【００７５】
また、第２空気熱交換器（64）では、第１空気熱交換器（63）で空気から回収した熱を利用して空気を加熱するようにしている。これにより、空気を再加熱するための電気ヒータ（55）の入力も軽減できるため、空調システム（10）の省エネ性を更に向上できる。
【００７６】
また、第１空気熱交換器（63）をいわゆる対向流式とすることで、空気の冷却効果を高めることができる。また、第１空気熱交換器（63）を流出する水の温度も比較的高くなるため、第２空気熱交換器（64）での空気の加熱効果も高めることができる。更に、第２空気熱交換器（64）も対向流式とすることで、空気の加熱効果を高めることができる。また、第２空気熱交換器（64）を流出する水の温度が比較的低くなるため、第１空気熱交換器（63）での空気の冷却効果も高めることができる。加えて、冷却熱交換器（61）も対向流式とすることで、冷却熱交換器（61）での空気の冷却効果を高めることができ、除湿システム（10）の除湿性能の向上を図ることができる。
【００７７】
《実施形態１の変形例》
上述した実施形態１において、以下のような各変形例の構成を採用しても良い。なお、以下の説明においては、上述した実施形態１と同様の点を省略するものとする。
【００７８】
〈変形例１〉
図４〜図６に示す変形例１に係る空調システム（10）には、循環回路（60）を循環する水の一部が分流する分岐流路（66）と、分岐流路（66）を流れる水を冷却するための補助冷却ユニット（90）とが設けられている。
【００７９】
補助冷却ユニット（90）は、冷媒が充填されて蒸気圧縮式の冷凍サイクルが行われる冷媒回路（91）を有している。補助冷却ユニット（90）の冷媒回路（91）には、圧縮機（92）と放熱器（93）と膨張弁（94）と蒸発器（95）とが順に接続されている。そして、冷媒回路（91）は、蒸発器（95）を介して分岐流路（66）と接続している。そして、蒸発器（95）は、分岐流路（66）を流れる熱媒体を冷媒によって冷却する補助冷却部を構成している。
【００８０】
分岐流路（66）は、蒸発器（95）の流入側の第１分岐管（66a）と、蒸発器（95）の流出側の第２分岐管（66b）とを有している。第１分岐管（66a）の流入端は、第１中継管（73）の上流側と接続している。また、第１分岐管（66a）と第１中継管（73）との接続部には、三方弁（97）が設けられている。三方弁（97）は、第１空気熱交換器（63）の流出部（73b）から、第１中継管（73）及び第１分岐管（66a）へ送られる熱媒体の分配量を調節可能に構成されている。具体的には、三方弁（97）は、第１空気熱交換器（63）の流出部（73b）を流出した熱媒体を全て第１中継管（73）へ送る状態（図５に示す状態）や、第１空気熱交換器（63）の流出部（73b）を流出した熱媒体を第１中継管（73）と第１分岐管（66a）とに分流させる状態（図６に示す状態）とに切り換わる。なお、三方弁（97）は、第１空気熱交換器（63）の流出部（73b）を流出した熱媒体を全て第１分岐管（66a）に送る状態に切り換えることもできる。以上のように、三方弁（97）は、分岐流路（66）を流れる熱媒体の流量を調節する分流量調節機構を構成している。
【００８１】
変形例１の空調システム（10）の除湿運転では、処理する空気の温度や湿度、室内の設定温度（目標温度）や室内の設定湿度（目標湿度）に応じて、コントローラ（100）が三方弁（97）の開度を制御する。
【００８２】
具体的には、例えば通常の除湿運転時には、コントローラ（100）は三方弁（97）を図５に示す状態とする。これにより、第１空気熱交換器（63）の流出部（73b）を流出した熱媒体は分岐流路（66）へは送られず、全て第１中継管（73）を流れる。従って、この場合には、上述した実施形態１と同様の除湿運転が行われる。
【００８３】
一方、例えば処理する空気の湿度や温度が極端に高い場合や、室内の設定温度や設定湿度が極端に低い条件下で除湿運転を行う場合、コントローラ（100）が三方弁（97）を図６に示す状態とする。これにより、第１空気熱交換器（63）の流出部（73b）を流出した熱媒体の一部が分岐流路（66）へ送られる。分岐流路（66）を流れる熱媒体は、補助冷却ユニット（90）の蒸発器（95）で冷却された後、第２空気熱交換器（64）へ送られる。その結果、この運転では、第２空気熱交換器（64）においても空気を冷却／除湿することができる。よって、いわゆる潜熱負荷が高い状況下においても、所望とする除湿性能を得ることができる。
【００８４】
〈変形例２〉
図７に示す変形例２に係る空調システム（10）は、上記実施形態１と空気冷却部の構成が異なっている。具体的に、変形例２では、チラーユニット（20）に代わって冷凍サイクルユニット（110）が設けられている。
【００８５】
冷凍サイクルユニット（110）は、冷媒が充填されて蒸気圧縮式の冷凍サイクルが行われる冷媒回路（111）を有している。冷媒回路（111）は、圧縮機（112）と放熱器（113）と膨張弁（114）と蒸発器（115）とが接続されている。そして、変形例２では、空気通路（52）における第１空気熱交換器（63）と第２空気熱交換器（64）との間に、空気冷却部としての蒸発器（115）が設けられている。つまり、変形例２では、空気通路（52）を流れる空気が、蒸発器（115）を流れる熱媒体としての冷媒によって露点温度以下まで冷却されて除湿される。
【００８６】
変形例２においても、第１空気熱交換器（63）で空気が予冷却されるため、蒸発器（115）での必要な冷却能力を軽減でき、ひいては圧縮機（112）の動力を軽減できる。従って、空調システム（10）の省エネ性の向上を図ることができる。
【００８７】
〈変形例３〉
図８に示す変形例３に係る空調システム（10）では、上記実施形態１と循環回路（60）に代わって、循環回路としての冷媒回路（130）が用いられている。冷媒回路（130）は、熱媒体としての冷媒が循環することで、蒸気圧縮式の冷凍サイクルを行うように構成されている。
【００８８】
冷媒回路（130）には、圧縮機（131）、第２空気熱交換器（64）、膨張弁（132）、第１空気熱交換器（63）が順に接続されている。そして、変形例３では、第２空気熱交換器（64）が放熱器（凝縮器）として機能し、第１空気熱交換器（63）が蒸発器として機能する。
【００８９】
即ち、空気通路（52）を流れる空気が第１空気熱交換器（63）を通過すると、冷媒が空気から吸熱して蒸発し、これにより空気が予冷却される。また、冷却熱交換器（61）で冷却／除湿された空気が第２空気熱交換器（64）を通過すると、冷媒が空気へ放熱することで空気が加熱される。変形例３においても、第１空気熱交換器（63）で空気から冷媒へ回収された熱が、第２空気熱交換器（64）での空気の加熱に利用される。従って、空調システム（10）の省エネ性の向上を図ることができる。
【００９０】
〈変形例４〉
図９に示す変形例４の循環回路（41）には、第１水タンク（35）と第２水タンク（36）と補助ポンプ（37）とが設けられている。
【００９１】
第１水タンク（35）及び第２水タンク（36）は、熱媒体としての水を一時的に貯留するための熱媒体貯留部を構成している。第１水タンク（35）は、第１中継管（73）における循環ポンプ（65）の吸入側に設けられている。補助ポンプ（37）は、第２中継管（74）に設けられている。第２水タンク（36）は、第２中継管（74）における補助ポンプ（37）の吸入側に設けられている。循環ポンプ（65）及び補助ポンプ（37）は、例えば遠心式のポンプであって、モータの回転数が変更されることで熱媒体の搬送流量が可変に構成されている。
【００９２】
第１水タンク（35）と第２水タンク（36）と補助ポンプ（37）と循環ポンプ（65）は、第１空気熱交換器（63）を流れる水の流量と、第２空気熱交換器（64）を流れる水の流量とを個別に調節するための流量調節機構を構成している。
【００９３】
変形例４のコントローラ（100）には、ポンプ制御部が設けられている。ポンプ制御部は、循環ポンプ（65）及び補助ポンプ（37）のモータ回転数（即ち、熱媒体の搬送流量）をそれぞれ制御するように構成されている。
【００９４】
具体的には、ポンプ制御部は、昼間と夜間との期間で循環ポンプ（65）及び補助ポンプ（37）の各搬送流量を調節する。
【００９５】
昼間の期間においては、補助ポンプ（37）の水搬送流量が循環ポンプ（65）の水搬送流量よりも多くなる動作（第１ポンプ制御動作）が行われる。つまり、第１ポンプ制御動作中には、第１空気熱交換器（63）を流れる水の流量が第２空気熱交換器（64）を流れる水の流量よりも多くなる。ここで、昼間の期間には、室外空気（OA）の温度が夜間よりも高くなるが、第１空気熱交換器（63）を流れる水の流量が比較的多くなることで、室外空気を充分に冷却して除湿することができる。また、このようにして第２空気熱交換器（64）を流れる水の流量を第１空気熱交換器（63）を流れる水の流量よりも少なくすると、第１水タンク（35）では、第１空気熱交換器（63）で加熱された水の貯留量が増大していく。
【００９６】
夜間の期間においては、循環ポンプ（65）の水搬送流量が補助ポンプ（37）の水搬送流量よりも多くなる動作（第２ポンプ制御動作）が行われる。つまり、第２ポンプ制御動作中には、第２空気熱交換器（64）を流れる水の流量が第１空気熱交換器（63）を流れる水の流量よりも多くなる。ここで、夜間の期間には、室外空気（OA）の温度が昼間よりも低くなるが、第２空気熱交換器（64）を流れる水の流量が比較的少なくなることで、室外空気を過剰に冷却してしまうことが回避される。また、夜間においては、昼間の期間に第１水タンク（35）内に貯留された比較的高温の水が、第２空気熱交換器（64）を多量に流れる。このため、第２空気熱交換器（64）では、水と空気との熱交換が促進され、空気の加熱と水の冷却とが促進される。
【００９７】
また、このようにして第１空気熱交換器（63）を流れる水の流量を第２空気熱交換器（64）を流れる水の流量よりも少なくすると、第２水タンク（36）では、第２空気熱交換器（64）で冷却された水の貯留量が増大していく。
【００９８】
その後、昼間の期間において再び第１ポンプ制御動作が行われると、上述の如く、補助ポンプ（37）の水搬送流量が循環ポンプ（65）の水搬送流量よりも多くなる。その結果、夜間の期間に第２水タンク（36）内に貯留された比較的低温の水が、第１空気熱交換器（63）を多量に流れる。このため、第１空気熱交換器（63）では、水と空気との熱交換が促進され、空気の冷却と水の加熱とが促進される。
【００９９】
以上のように、変形例４では、夜間と昼間との間で循環ポンプ（65）と補助ポンプ（37）の水搬送流量を変更しながら、各水タンク（35,36）に水を溜めていくことで、夜間に回収した冷熱を昼間での空気の冷却に利用し、昼間に回収した熱を夜間での空気の加熱に利用することができる。その結果、空調システム（10）の熱回収運転時の省エネルギー性を更に改善することができる。
【０１００】
なお、変形例４において、上述した昼間と夜間の２つ動作を切り換える方法としては、例えばタイマー等を利用する方法や、室外温度に応じて動作を切り換える方法（例えば、センサで検出した室外温度が所定値より大きくなると第１ポンプ制御動作を行い、センサで検出した室外温度が所定値より小さくなると第２ポンプ制御動作を行う方法）等が挙げられる。
【０１０１】
〈変形例５〉
図１０に示す変形例５に係る空調システム（10）には、放熱回路（31）の水と、循環回路（60）の水とを熱交換させる、内部熱交換器（28）が設けられている。具体的には、放熱回路（31）には、放熱回路（31）の水の一部を分流させるための分流管（26）が接続されている。分流管（26）には、開度を調節可能な流量調節弁（27）が設けられている。内部熱交換器（28）は、循環回路（60）を循環する水と、分流管（26）に分流した水とを熱交換させることで、循環回路（60）の水によって分流管（26）の水を冷却するように構成されている。
【０１０２】
具体的には、上述した除湿運転において、流量調節弁（27）が分流管（26）を所定開度で開放させると、放熱回路（31）の水が分流管（26）に分流する。この水は、内部熱交換器（28）において循環回路（60）を流れる比較的低温の水と熱交換して冷却される。以上のように、この変形例５では、例えば室外温度が低いような条件下において、循環回路（60）の水の冷熱を放熱回路（31）の水の冷却に利用できる。
【０１０３】
〈変形例６〉
図１１に示す変形例６に係る空調システム（10）には、排気ダクト（59）とダクト側熱交換器（68）とが設けられている。排気ダクト（59）は、一端が室内空間（5）に接続し、他端が外気に臨んでいる。つまり、排気ダクト（59）は、空調システム（10）の空調対象となる室内空間（5）の空気を排出空気（EA）として室外へ排出する排気流路を形成している。ダクト側熱交換器（68）は、排気ダクト（59）の内部に跨るように配設されている。また、ダクト側熱交換器（68）は、第１空気熱交換器（63）と第２空気熱交換器（64）との間の配管（第１中継管（73））に接続されている。つまり、ダクト側熱交換器（68）は、第１空気熱交換器（63）から第２空気熱交換器（64）へ送られる水と、室内空間（5）から室外へ送られる空気とを熱交換させる顕熱熱交換器を構成している。
【０１０４】
これにより、変形例６では、例えば夏季において、室内空気の冷熱を循環回路（60）の水に付与することができる。従って、空調ユニット（50）では、このようにして循環回路（60）側に回収した冷熱を第１空気熱交換器（63）での空気の冷却に利用することができる。また、例えば冬季において、室内空気の熱を循環回路（60）の水に付与することができる。従って、空調ユニット（50）では、このようにして循環回路（60）側に回収された熱を第２空気熱交換器（64）での空気の加熱に利用することができる。
【０１０５】
〈変形例７〉
図１２に示す変形例７に係る空調システム（10）の空調ユニット（50）は、３つの室内空間（第１室内空間（5a）、第２室内空間（5b）、及び第３室内空間（5c））に対して供給空気（SA）を送るように構成されている。即ち、空調ユニット（50）の給気ダクト（54）の流出側は、３つの給気部（第１給気部（54a）、第２給気部（54b）、及び第３給気部（54c））に分岐している。そして、第１給気部（54a）の流出端が第１室内空間（5a）に臨み、第２給気部（54b）の流出端が第２室内空間（5b）に臨み、第３給気部（54c）の流出端が第３室内空間（5c）に臨んでいる。また、第１室内空間（5a）には、排気ダクト（59a）が接続している。
【０１０６】
また、変形例７の空調システム（10）は、第１と第２の補助空調ユニット（120,130）を有している。第１補助空調ユニット（120）は、第２室内空間（5b）を空調の対象とし、第２補助空調ユニット（130）は、第３室内空間（5c）を空調の対象としている。
【０１０７】
各補助空調ユニット（120,130）は、空気通路（122,132）を形成するケーシング（121,131）と、空気通路（122,132）の流入側と室内空間（5b,5c）とを繋ぐ吸込ダクト（123,133）と、空気通路（122,132）の流出側と室内空間（5b,5c）とを繋ぐ給気ダクト（124,134）とをそれぞれ有している。
【０１０８】
また、各補助空調ユニット（122,132）の空気通路（122,132）には、上流側から下流側に向かって順に、空気熱交換器（125,135）、電気ヒータ（126,136）、散水器（127,137）、及び送風機（128,138）がそれぞれ配置されている。各空気熱交換器（125,135）の伝熱管には、水等の熱媒体がそれぞれ供給されている。
【０１０９】
空調システム（10）では、空調ユニット（50）と各補助空調ユニット（122,132）とが連動して運転される。空調ユニット（50）で冷却／除湿された空気は、給気ダクト（54）から３つの給気部（54a,54b,54c）に分配されて各室内空間（54a,54b,54c）へ供給される。
【０１１０】
各補助空調ユニット（120,130）では、各室内空間（5b,5c）の室内空気（RA）が吸込ダクト（123,133）を介して空気通路（122,132）へ取り込まれる。この空気は、空気熱交換器（125,135）を流れる熱媒体によって冷却／除湿された後、電気ヒータ（126,136）によって加熱される。以上のようにして、除湿された空気は、供給空気（SA）として各室内空間（5b,5c）へ供給される。
【０１１１】
〈変形例８〉
図１３に示す変形例８に係る空調システム（10）には、分岐ダクト（140）と空気流量調節弁（141）とが設けられている。分岐ダクト（140）の流入端は、吸込ダクト（53）に接続されている。分岐ダクト（140）の流出端は、空気通路（52）における第２空気熱交換器（64）と電気ヒータ（55）との間に臨んでいる。つまり、分岐ダクト（140）は、空気通路（52）における第１空気熱交換器（63）の上流側の空気を、該第２空気熱交換器（64）の下流側へバイパスさせるバイパス流路を構成している。空気流量調節弁（141）は、分岐ダクト（140）を流れる空気の流量を調節するバイパス量調節機構を構成している。なお、このバイパス量調節機構としてダンパ等の他の機構を採用しても良い。
【０１１２】
変形例８では、コントローラ（100）が、運転条件に応じて空気流量調節弁（141）を制御することで、処理すべき潜熱負荷や顕熱負荷に応じた運転が可能となっている。
【０１１３】
具体的には、例えば処理すべき潜熱負荷が高い場合、空気流量調節弁（141）の開度が小さくなり、分岐ダクト（140）を流れる空気の流量が少なくなる。これにより、第１空気熱交換器（63）や冷却熱交換器（61）を通過する空気の流量が比較的多くなるため、空気を冷却／除湿して潜熱負荷を充分に処理することができる。
【０１１４】
また、例えば処理すべき潜熱負荷はさほど高くないが、処理すべき顕熱負荷が比較的高い場合には、空気流量調節弁（141）の開度が大きくなり、分岐ダクト（140）を流れる空気の流量が多くなる。これにより、第１空気熱交換器（63）や冷却熱交換器（61）を通過する空気の流量が比較的少なくなる。従って、熱媒体回路（41）の蒸発器（25）の冷却負荷が小さくなるため、蒸発器（25）の冷却能力を低減することができる。
【０１１５】
以上のように、変形例８では、潜熱負荷や顕熱負荷に合わせた運転を行うことができるので、省エネ性を確保しつつ、潜熱負荷や顕熱負荷を確実に処理することができる。なお、空調システム（10）で処理すべき潜熱負荷は、例えばコントローラ（100）に設定された室内の目標湿度と、センサ等で検出した室外空気の湿度との差から求めることができる。また、空調システム（10）で処理すべき顕熱負荷は、例えばコントローラ（100）に設定された室内の目標温度と、センサ等で検出した室外空気の湿度との差から求めることができる。
【０１１６】
また、変形例８では、冬季等に室外空気を電気ヒータ（55）で加熱する暖房運転時や、室外空気を電気ヒータ（55）で加熱して散水器（56）で更に加湿する暖房加湿運転時において、空気流量調節弁（141）が全開となる。つまり、暖房運転時や暖房加湿運転時には、第１空気熱交換器（63）、冷却熱交換器（61）、及び第２空気熱交換器（64）が休止状態となるが、この際には、分岐ダクト（140）を流れる空気の流量が最大となる。このため、各熱交換器（61,63,64）を流れる空気の流量を最小限に抑えることができ、これらの熱交換器（61,63,64）での圧力損失を最小限に抑えることができる。その結果、暖房運転や暖房加湿運転時において、送風機（57）の動力を低減することができる。
【０１１７】
なお、変形例８の分岐ダクト（140）の流出端を他の箇所に臨むように配設しても良い。具体的には、例えば図１４に示すように、分岐ダクト（140）の流出端を電気ヒータ（55）の下流側に臨むように配設しても良い。
【０１１８】
《その他の実施形態》
上記実施形態については、以下のような構成としてもよい。
【０１１９】
上述した実施形態（上記各変形例も含む）に係る空調システム（10）は、室外空気（OA）を空気通路（52）に取り込んで、この空気を冷却／除湿するものであるが、室内空気（RA）を取り込んで、この空気を冷却／除湿するものであっても良い。
【０１２０】
また、上記実施形態では、空気通路（52）に設けられて空気を加熱する加熱部として、電気ヒータ（55）を用いているが、冷凍サイクルが行われる冷媒回路の凝縮器や、他の方式の加熱部を採用しても良い。
【０１２１】
なお、上述した変形例１〜８のいずれか２つ以上を相互に組み合わせて空調システム（10）を構成するようにしても良い。また、以上の実施形態は、本質的に好ましい例示であって、本発明、その適用物、あるいはその用途の範囲を制限することを意図するものではない。
【産業上の利用可能性】
【０１２２】
以上説明したように、本発明は、空気を冷却して除湿し、除湿した空気を室内へ供給する除湿システムについて有用である。
【符号の説明】
【０１２３】
10    空調システム（除湿システム）
25    蒸発器（熱媒体冷却部）
35    第１水タンク（流量調節機構）
36    第２水タンク（流量調節機構）
37    補助ポンプ（流量調節機構）
41    熱媒体回路
51    ケーシング
52    空気通路
55    電気ヒータ（空気加熱部）
59    排気流路（排気ダクト）
61    冷却熱交換器（空気冷却部）
61c   パス群（中間流路部）
63    第１空気熱交換器
63c   パス群（中間流路部）
64    第２空気熱交換器
64c   パス群（中間流路部）
65    循環ポンプ（流量調節機構）
66    分岐流路
68    ダクト側熱交換器（顕熱熱交換器）
71a   流入部
71b   流出部
73a   流入部
73b   流出部
74a   流入部
74b   流出部
95    蒸発器（補助冷却部）
97    三方弁（分流量調節機構）
130   循環回路（冷媒回路）
140   分岐ダクト（バイパス管）
141   空気流量調節弁（バイパス量調節機構）
【図１】
2010243003.tif 000003
【図２】
2010243003.tif 000004
【図３】
2010243003.tif 000005
【図４】
2010243003.tif 000006
【図５】
2010243003.tif 000007
【図６】
2010243003.tif 000008
【図７】
2010243003.tif 000009
【図８】
2010243003.tif 000010
【図９】
2010243003.tif 000011
【図１０】
2010243003.tif 000012
【図１１】
2010243003.tif 000013
【図１２】
2010243003.tif 000014
【図１３】
2010243003.tif 000015
【図１４】
2010243003.tif 000016